(57)【要約】【課題】  釘打ち及びケレン掛け作業を効率的に行なうことができる型枠工事用金槌を提供する。【解決手段】  釘を打つ槌頭２に柄３が取り付けられている金槌１において、前記槌頭２近傍の柄部の両面に円状の磁石４を埋設し、該磁石４を保護する略コ字形の磁石保護体５で、前記磁石４を保護している。また、前記槌頭２の釘打ち部の打面２３が、槌頭２の長手方向が長辺となる楕円形又は長円形に形成されている。【選択図】図１
0003198539.tif 000002
【実用新案登録請求の範囲】
【請求項１】
釘を打つ槌頭に柄が取り付けられている金槌において、前記槌頭近傍の柄部に、磁石を取り付けたことを特徴とする型枠工事用金槌。
【請求項２】
前記槌頭の釘打ち部の打面が、槌頭の長手方向が長辺となる楕円形又は長円形に形成されていることを特徴とする請求項１に記載の型枠工事用金槌。
【考案の詳細な説明】
【技術分野】
【０００１】  本考案は、コンクリート型枠工事における組立時から解体時までの作業を、効率的に行なうことができる型枠工事用金槌に関するものである。
【背景技術】
【０００２】  従来、型枠用金槌は片方に首の長い金槌部と反対側に釘抜き部を持つもので、釘打ちと釘抜きを一つの道具で出来るようになっている。コンパネ等に釘を打ち込む際は、打ち込み部位に釘の先端を突き刺すまでは、一方の手に金槌の柄を持ち、他方の手で釘を支えて釘を位置決めするため、両方の手を使って打ち込み作業を行っている。また、作業中や解体時にコンパネ及び桟木に付着したコンクリートを除去しなければならない時、除去するのに適した道具（例えば、ケレン棒）を使用するのが面倒である為、金槌部で叩いて除去するのが一般的である。【０００３】  このような作業を改善するために、様々な工夫がなされている。例えば、釘頭を打面に磁着させることによって片手で釘を打てる金槌が開示されている（特許文献１、特許文献２参照。）。また、釘打ち作業およびコンクリート固化物除去作業ができ、コンクリート固化物除去作業による槌頭上面部分の磨耗が小さくて長寿命であるとされる金槌が開示されている（特許文献３参照。）。
【先行技術文献】
【特許文献】
【０００４】
【特許文献１】  特開２００１−２４６５７７号公報
【特許文献２】  特開２００４−２４９４１４号公報
【特許文献３】  実登録３１１８１８０号公報
【考案の概要】
【考案が解決しようとする課題】
【０００５】  特許文献１及び２に開示されている金槌は、釘を打ち付ける打面に磁石を埋設したものであり、打面に釘頭を磁着させ、釘を起立させて、打ち込み部位に釘の先端を位置させ、磁石を配置した打面で叩いて釘の先端を突き刺し、そのまま、磁石を埋設した打面で、突き刺した釘を強く叩き、釘を打ち込んでゆくものである。しかしながら、打面に磁石を埋設することで強度が低下し、釘頭を金槌の打面で繰り返し強く叩くと、打面が損傷して使用できなくなるという問題があった。【０００６】  また、特許文献３に開示されている金槌は、槌頭の上面をコンクリート固化物よりも硬い硬質板体を有する集合板体で被覆した構成にしており、該集合板体は槌頭とは別個独立に構成され、槌頭の上面にビスで着脱自在に取り付けられている。この金槌によれば、ケレン掛けの作業者が金槌の柄を手で持ち、解体後の型枠材料の表面に残ったコンクリート固化物を槌頭の上面で柄の軸心方向に押して剥ぎ取っていくことができる。しかしながら、この構造では槌頭の長さ（打面から釘抜き部までの長さ）以上の幅がある場所のケレン掛けしかできず、狭隘な場所のケレン掛けはできないという問題があった。【０００７】  本考案は、上記問題を解決するためになされたものであり、釘打ち及びケレン掛け作業を効率的に行なう型枠工事用金槌（以下、金槌という）を提供するものである。
【課題を解決するための手段】
【０００８】  本考案の金槌は、釘を打つ槌頭に柄が取り付けられている金槌において、前記槌頭近傍の柄部の両面に円筒状の磁石を埋設し、該磁石を保護する略コ字形の磁石保護体で、前記磁石を保護したことを特徴としている。このように構成すれば、金槌の柄を片手で把持し、磁石に釘頭を磁着させた状態でコンパネ等に仮止めし、次に金槌の打面で釘を打ち込むことで、連続した作業が可能となり、作業効率が向上する。【０００９】  また、本考案の金槌は、前記槌頭の釘打ち部の打面が、槌頭の長手方向が長辺となる楕円形又は長円形に形成されていることを特徴としている。このように構成すれば、槌頭の打面を形成する楕円形又は長円形の短辺幅以上の隙間があれば、コンパネ等に付着したコンクリート付着物のケレン掛けを、金槌の打面で行なうことができるので、作業効率が向上する。
【考案の効果】
【００１０】  本考案の金槌は、槌頭近傍の柄部の両面に磁石が取り付けられている。また、前記槌頭の釘打ち部の打面が、槌頭の長手方向が長辺となる楕円形又は長円形に形成されている。この構成により、金槌の柄を片手で把持し、前記磁石に釘頭を磁着させた状態でコンパネ等に仮止めして金槌の打面で釘を強く打ち込むことができる。また、槌頭の打面を形成する楕円形又は長円形の短辺幅以上の隙間があれば、コンパネ等に付着したコンクリート付着物を打面で押す又は引くことにより、ケレン掛けを行なうことができる。これにより、釘打ちとケレン掛けを同じ金槌で効率的に行なうことができるので、格段に作業効率が向上する。
【図面の簡単な説明】
【００１１】
【図１】本考案の一例を示す型枠工事用金槌の正面図である。
【図２】本考案の一例を示す型枠工事用金槌の磁石保護体の斜視図である。
【図３】本考案の一例を示す型枠工事用金槌の打面の正面図であり、（ａ）は楕円形、（ｂ）は長円形を示したものである。
【考案を実施するための形態】
【００１２】  以下、本考案の金槌について、図面を参照して説明する。図１は本考案の一例を示す金槌の正面図であり、図２は、本考案の一例を示す金槌の磁石保護体の斜視図である。図１、図２において、１は金槌、２は槌頭、３は柄、４は磁石、５は磁石保護体である。前記金槌１は、片方に首の長い金槌部２１と反対側に釘抜き部２２が形成されており、釘打ちと釘抜きを一つの道具で出来るようになっている。磁石４は円板状であるが、円筒状や角状としてもよく、柄３の両側面に嵌入されており、繰り返し強い衝撃を受けると損傷するおそれがあるので、磁石保護体５で保護されている。
【００１３】  コンパネ等に釘（図示しない）を打ち込む際は、一方の手に金槌１の柄３を持ち槌頭２の近傍の柄３に設けられた磁石４が位置する磁石保護体５に釘頭を磁着させた状態で、打ち込み部位に釘の先端を軽く突き刺す。この状態で柄３を釘頭から離すと釘はコンパネ等に軽く刺さった状態で立設する。次に、前記釘頭を前記金槌の打面で強く打ち込むと、釘はコンパネ等に打ち込まれる。なお、右手で柄３持つときは釘を左保護部５１に磁着し、左手で柄３を持つときは右保護部５２に磁着する。
【００１４】  図２において、５は磁石保護体、５１は左保護部、５２は右保護部、５３は連結部である。磁石保護体５は強磁石体である鉄板を用いて、左保護部５１と右保護部５２を連結する連結部５３からなる略コ字形に一体形成されており、槌頭近傍の柄部に磁石４を保護するように被着されている。なお、前記磁石保護体５は、コ字形に替えて単独の平板として、夫々の磁石を被着してもよい。
【００１５】  図３は、本考案の一例を示す金槌の打面の正面図であり、（ａ）は楕円形、（ｂ）は長円形を示したものである。従来の金槌の打面は、首の基部から打面に向かって漸次太くなるように形成されており、打面の形状は円形や八角形である。この形状では狭隘な部分のケレン掛けができないため、本考案では打面を楕円形又は長円形としている。なお長円形とは、図３（ｂ）に示すように、二つの等しい長さの平行線と二つの半円形からなる形状をいう。本考案の金槌の打面は、このように形成されているので、金槌１の柄３を手で持ち、打面２３の縁をベニヤ板等の表面と接するよう当接させた状態とし、この縁でコンクリート固化物を押すか又は引くことにより、コンクリート固化物を剥離させることができる。
【産業上の利用可能性】
【００１６】  本考案の金槌は、型枠工事用金槌として最適に使用できるものであるが、これに限定されることなく、一般的な金槌として広く利用することができる。
【符号の説明】
【００１７】１  金槌（型枠工事用金槌）
２  槌頭
２１  金槌部
２２  釘抜き部
２３  打面
３  柄
４  磁石
５  磁石保護体
５１  左保護部
５２  右保護部
５３  連結部
【図１】
0003198539.tif 000003
【図２】
0003198539.tif 000004
【図３】
0003198539.tif 000005